(57)【要約】【課題】原稿の画像を読み取って、読み取った画像を記録紙に形成する画像形成装置において、様々な種類の記録紙を利用しても、確実に裏写りを回避することができる技術を提供すること。【解決手段】記録紙（記録紙Ｒ１または記録紙Ｒ２）にテスト画像２１１ｆを形成させるテスト画像出力部２０１と、テスト画像２１１ｆが記録紙の裏面に裏写りして表れた裏面画像２１１ｂを読み取る裏面画像取得部２０２と、テスト画像２１１ｆと裏面画像２１１ｂとの対応する箇所の濃度に基づき、記録紙に形成する画像の濃度と当該濃度の画像が記録紙の裏面に生じさせる裏写りの濃度とを対応付ける裏写り特性特定部２０３と、原稿画像に表れた濃度と裏写り特性特定部２０３が付けた対応関係とに基づき、原稿画像を形成する記録紙を決定する、記録紙自動選択部４０３および記録紙選択問合せ部４０２を備える。【選択図】図２
2007188014.tif 000002
【特許請求の範囲】
【請求項１】
原稿の画像を読み取って、読み取った画像を記録紙に形成する画像形成装置であって、
記録紙に所定のテスト画像を形成させるテスト画像形成手段と、
テスト画像が当該記録紙の裏面に裏写りして表れた裏写り画像を読み取る裏写り画像取得手段と、
テスト画像と裏写り画像との対応する箇所の濃度に基づき、記録紙に形成する画像の濃度と当該濃度の画像が記録紙の裏面に生じさせる裏写りの濃度とを対応付ける対応特定部と、
原稿の画像に表れた濃度と前記対応特定部が付けた対応関係とに基づき、当該原稿の画像を形成する記録紙を決定する決定手段とを備えることを特徴とする画像形成装置。
【請求項２】
前記対応特定部は、記録紙に形成する画像の濃度と当該濃度の画像が記録紙の裏面に生じさせる裏写りの有無とを対応付けることを特徴とする請求項１記載の画像形成装置。
【請求項３】
記録紙の種類と、当該種類の記録紙に表れた裏写り画像の濃度に基づき前記対応特定部が付けた対応関係とを、対応付けて複数組記憶する対応記憶部をさらに備え、
前記決定手段は、原稿の画像に表れた濃度と記憶された各対応関係とに基づいて、各対応関係に対応付けて記憶された記録紙の各種類のうち最も前記原稿の画像を形成するのに適すると判断される１の種類を選択して、当該種類の記録紙に前記原稿の画像を形成することを決定する出力記録紙自動決定部を有することを特徴とする請求項１または２記載の画像形成装置。
【請求項４】
記録紙の種類と、当該種類の記録紙に表れた裏写り画像の濃度に基づき前記対応特定部が付けた対応関係とを、対応付けて複数組記憶する対応記憶部をさらに備え、
前記決定手段は、
原稿の画像に表れた濃度と記憶された各対応関係とに基づき、各対応関係に対応付けて記憶された各種類の記録紙が前記原稿の画像を形成するのに適するか否かを評価して、評価結果をユーザに提示する評価提示手段と、
当該提示に応じたユーザのユーザ入力を取得して、前記各種類の記録紙のうち前記原稿の画像を形成する記録紙の種類を当該ユーザ入力に基づき選択する出力記録紙選択手段とを有することを特徴とする請求項１または２記載の画像形成装置。
【発明の詳細な説明】
【技術分野】
【０００１】
本発明は、原稿の画像を読み取って、読み取った画像を記録紙に形成する画像形成装置に関する。
【背景技術】
【０００２】
従来より、プリンタ、複写機、ＦＡＸ、あるいは複合機といった画像形成装置が用いられている。画像形成装置においては、一方の面に印刷した内容が裏面に裏写りして、裏面の正規の印刷内容が読み難くなったり、あるいは、裏面に正規の印刷を行わない場合でも、美しさが損なわれてしまうということがある。
【０００３】
かかる裏写りを回避するために、特許文献１記載の画像形成装置では、記録紙の種類（普通紙、光沢紙、専用紙、…）ごとにその厚さ等のデータを保持して、そのデータに基づいて裏写りを予測することで、裏写りを回避している。
【特許文献１】特開２００４−１１０５８５号公報
【発明の開示】
【発明が解決しようとする課題】
【０００４】
しかしながら、従来のかかる特許文献１記載の技術では、予測に必要な記録紙の厚さ等のデータを記録紙の種類ごとに多数用意する必要があった。ユーザが利用する記録紙の種類は、サードパーティ製等まで含めて様々なメーカの様々な種類があり、しかも、新しい種類の記録紙が新製品として次々に登場する。このような実情のもとで、すべての種類の記録紙のデータを用意することができず、特許文献１記載の技術では、的確に予測を行って、確実に裏写りを回避することはできなかった。
【０００５】
本発明は、かかる課題に鑑みてなされたものであり、様々な種類の記録紙を利用しても、確実に裏写りを回避することができる技術を提供することを目的とする。
【課題を解決するための手段】
【０００６】
請求項１に記載の発明は、原稿の画像を読み取って、読み取った画像を記録紙に形成する画像形成装置であって、記録紙に所定のテスト画像を形成させるテスト画像形成手段と、テスト画像が当該記録紙の裏面に裏写りして表れた裏写り画像を読み取る裏写り画像取得手段と、テスト画像と裏写り画像との対応する箇所の濃度に基づき、記録紙に形成する画像の濃度と当該濃度の画像が記録紙の裏面に生じさせる裏写りの濃度とを対応付ける対応特定部と、原稿の画像に表れた濃度と前記対応特定部が付けた対応関係とに基づき、当該原稿の画像を形成する記録紙を決定する決定手段とを備えることを特徴とする画像形成装置である。
【０００７】
この構成によれば、記録紙に所定のテスト画像が形成され、テスト画像が当該記録紙の裏面に裏写りして表れた裏写り画像が読み取られる。そして、テスト画像と裏写り画像との対応する箇所の濃度に基づいて、記録紙に形成する画像の濃度と当該濃度の画像が記録紙の裏面に生じさせる裏写りの濃度とが対応付けられて、原稿の画像に表れた濃度と付けられた対応関係とに基づき、当該原稿の画像を形成する記録紙が決定される。
【０００８】
したがって、様々な種類の記録紙を利用しても、記録紙に所定のテスト画像が形成され、テスト画像が当該記録紙の裏面に裏写りして表れた裏写り画像が読み取られ、そして、テスト画像と裏写り画像との対応する箇所の濃度に基づき、記録紙に形成する画像の濃度と当該濃度の画像が記録紙の裏面に生じさせる裏写りの濃度とが対応付けられて、原稿の画像に表れた濃度と付けられた対応関係とに基づき、当該原稿の画像を形成する記録紙が決定されて、精度よく裏写りが回避される。この結果、様々な種類の記録紙を利用しても、確実に裏写りを回避することができる。
【０００９】
なお、対応特定部は、記録紙に形成する画像の濃度を、当該濃度の画像が記録紙の裏面に生じさせる裏写りの、一定範囲の濃度に対応付けるものであってもよい。
【００１０】
請求項２に記載の発明は、前記対応特定部は、記録紙に形成する画像の濃度と当該濃度の画像が記録紙の裏面に生じさせる裏写りの有無とを対応付けることを特徴とする請求項１記載の画像形成装置である。
【００１１】
この構成によれば、記録紙に形成する画像の濃度と当該濃度の画像が記録紙の裏面に生じさせる裏写りの有無とが対応付けられる。
【００１２】
したがって、原稿の画像に表れた濃度と、対応特定部が付けた対応関係とに基づき、記録紙で裏写りが生じ無い場合に、当該記録紙を原稿の画像を形成する記録紙に決定することができる。
【００１３】
請求項３に記載の発明は、記録紙の種類と、当該種類の記録紙に表れた裏写り画像の濃度に基づき前記対応特定部が付けた対応関係とを、対応付けて複数組記憶する対応記憶部をさらに備え、前記決定手段は、原稿の画像に表れた濃度と記憶された各対応関係とに基づいて、各対応関係に対応付けて記憶された記録紙の各種類のうち最も前記原稿の画像を形成するのに適すると判断される１の種類を選択して、当該種類の記録紙を前記原稿の画像を形成する記録紙に決定する出力記録紙自動決定部を有することを特徴とする請求項１または２記載の画像形成装置である。
【００１４】
この構成によれば、記録紙の種類と、当該種類の記録紙に表れた裏写り画像の濃度に基づき前記対応特定部が付けた対応関係とが、対応付けて複数組記憶される。そして、原稿の画像に表れた濃度と記憶された各対応関係とに基づいて、各対応関係に対応付けて記憶された記録紙の各種類のうち最も前記原稿の画像を形成するのに適すると判断される１の種類が選択されて、当該種類の記録紙が前記原稿の画像を形成する記録紙に決定される。
【００１５】
したがって、各種類の記録紙のうち最適な記録紙を、自動的に原稿の画像を形成する記録紙に選択することができる。
【００１６】
請求項４に記載の発明は、記録紙の種類と、当該種類の記録紙に表れた裏写り画像の濃度に基づき前記対応特定部が付けた対応関係とを、対応付けて複数組記憶する対応記憶部をさらに備え、前記決定手段は、原稿の画像に表れた濃度と記憶された各対応関係とに基づき、各対応関係に対応付けて記憶された各種類の記録紙が前記原稿の画像を形成するのに適するか否かを評価して、評価結果をユーザに提示する評価提示手段と、当該提示に応じたユーザのユーザ入力を取得して、前記各種類の記録紙のうち前記原稿の画像を形成する記録紙の種類を当該ユーザ入力に基づき選択する出力記録紙選択手段とを有することを特徴とする請求項１または２記載の画像形成装置である。
【００１７】
この構成によれば、記録紙の種類と、当該種類の記録紙に表れた裏写り画像の濃度に基づいて付けられた対応関係とが、対応付けて複数組記憶される。そして、原稿の画像に表れた濃度と記憶された各対応関係とに基づいて、各対応関係に対応付けて記憶された各種類の記録紙が前記原稿の画像を形成するのに適するか否かが評価される。そして、評価結果がユーザに提示され、当該提示に応じたユーザのユーザ入力が取得され、前記各種類の記録紙のうち前記原稿の画像を形成する記録紙の種類が当該ユーザ入力に基づいて選択される。
【００１８】
したがって、ユーザは、様々な種類の記録紙を利用する場合でも、提示された評価結果に応じてユーザ入力を入力して、記録紙を選択させることで、確実に裏写りを回避することができる。
【発明の効果】
【００１９】
この発明によれば、様々な種類の記録紙を利用しても、記録紙に所定のテスト画像が形成され、テスト画像が当該記録紙の裏面に裏写りして表れた裏写り画像が読み取られ、そして、テスト画像と裏写り画像との対応する箇所の濃度に基づき、記録紙に形成する画像の濃度と当該濃度の画像が記録紙の裏面に生じさせる裏写りの濃度とが対応付けられて、原稿の画像に表れた濃度と付けられた対応関係とに基づき、当該原稿の画像を形成する記録紙が決定されて、精度よく裏写りが回避される。この結果、様々な種類の記録紙を利用しても、確実に裏写りを回避することができる。
【発明を実施するための最良の形態】
【００２０】
以下、本発明の一実施形態に係る複写機１について図面を参照して説明する。
【００２１】
図１は、複写機１を示す説明図である。複写機１は、原稿読取装置１０と、画像形成機構２０と、給紙機構３０と、印刷制御装置１００と、操作パネル４０とを有する。
【００２２】
原稿読取装置１０は、自動原稿搬送装置（ＡＤＦ；Auto Document Feeder）やスキャナを備えており、ユーザによってセットされた原稿Ｐを読み取って、原稿Ｐに表れた複写対象の画像（以下、原稿画像と呼ぶ）を印刷制御装置１００に入力する。
【００２３】
画像形成機構２０は、記録紙を搬送する各種ローラや、感光体ドラム、レーザ走査ユニット、転写ローラ、定着ローラ等を備え、記録紙に対する画像形成処理を行う。
【００２４】
給紙機構３０は、画像形成機構２０によって画像が形成される２種類の記録紙Ｒ１，Ｒ２をそれぞれ積載する給紙カセット３１，３２を有している。上段の給紙カセット３１が積載する記録紙Ｒ１と、下段の給紙カセット３２が積載する記録紙Ｒ２とは、種類が異なっていて、同じ画像を形成しても裏側の面に裏写りが生じるか否かや、ひいてはどのような裏写りが生じるかが異なる。
【００２５】
操作パネル４０は、液晶タッチパネル４１のほか各種スイッチを有しており、複写機１を操作するユーザに対してユーザインタフェースを提供する。
【００２６】
印刷制御装置１００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ   Ｍｅｍｏｒｙ）等を備えた情報処理装置であり、原稿読取装置１０、画像形成機構２０、給紙機構３０、操作パネル４０、およびその他の複写機１の各部を制御する。
【００２７】
図２は、複写機１のブロック図である。
【００２８】
図２では、印刷制御装置１００に実現される機能ブロックを示している。印刷制御装置１００には、裏写り特性把握部２００と、記録紙データ記憶部３００と、原稿印刷制御部４００とが実現される。
【００２９】
原稿印刷制御部４００は、原稿読取装置１０で読み取られた原稿Ｐの原稿画像を取得して、これを画像形成機構２０に入力して記録紙Ｒ１または記録紙Ｒ２に印刷を行わせる。このときには、印刷制御装置１００は、給紙機構３０を制御して画像形成機構２０に記録紙を搬入させるが、図２では給紙機構３０については図示を省略している。
【００３０】
裏写り特性把握部２００は、このようにして原稿画像が印刷されるのに先立って、記録紙Ｒ１，Ｒ２の裏写り特性を把握する処理を行う。裏写り特性については、後で詳しく説明する。把握された記録紙Ｒ１，Ｒ２の裏写り特性は、記録紙データ記憶部３００に記憶されて、原稿印刷制御部４００が記録紙Ｒ１，Ｒ２へと印刷を行うときに参照される。
【００３１】
裏写り特性把握部２００は、テスト画像出力部２０１と、裏面画像取得部２０２と、裏写り特性特定部２０３とを有する。
【００３２】
テスト画像出力部２０１は、テスト画像２１１ｆを記憶し、画像形成機構２０を制御することによってテスト画像２１１ｆを記録紙Ｒ１，Ｒ２に印刷させる。
【００３３】
図３は、テスト画像２１１ｆが印刷された記録紙２１０Ｐを示す図である。テスト画像２１１ｆ（左側）と、テスト画像２１１ｆが記録紙２１０Ｐの裏面２１０ｂへと裏写りして表れた裏写り画像２１１ｂとを併せて示している。テスト画像２１１ｆが印刷されたこの記録紙２１０Ｐのことを、以下では、裏写りテスト紙２１０Ｐと呼ぶ（図２参照）。また、裏写りテスト紙２１０Ｐに表れた裏写り画像２１１ｂのことを、以下、裏面画像２１１ｂと呼ぶ。
【００３４】
テスト画像出力部２０１にこのようなテスト画像２１１ｆ（テストチャート）を印刷させることで、裏写り特性把握部２００は、記録紙Ｒ１，Ｒ２の裏写り特性を把握する。
【００３５】
図３については、後で、さらに詳しく説明する。
【００３６】
図２に戻って、図示するように、テスト画像２１１ｆが印刷された裏写りテスト紙２１０Ｐは、原稿読取装置１０に読み取られ、裏面２１０ｂに表れた裏面画像２１１ｂが複写機１に入力される。裏写りテスト紙２１０Ｐはユーザによって原稿読取装置１０にセットされて、原稿読取装置１０に読み取られる。
【００３７】
裏面画像取得部２０２は、原稿読取装置１０から裏面画像２１１ｂを取得する。裏写り特性特定部２０３は、裏面画像取得部２０２から裏面画像２１１ｂを取得すると共に、テスト画像出力部２０１からテスト画像２１１ｆを取得して、両画像を解析することにより、裏写りテスト紙２１０Ｐ（記録紙Ｒ１または記録紙Ｒ２）の裏写り特性を求める。
【００３８】
図４は、裏写り特性を示す図である。この実施形態で、「裏写り特性」は、以下で説明する限界濃度ｄのことである。以下では、図２〜４を参照して、この、限界濃度ｄを説明する。
【００３９】
テスト画像２１１ｆ（図３参照）は、図３に示したように、３原色ＣＹＭ（Ｃ：シアン、Ｙ：イエロ、Ｍ：マゼンダ）に対応する３つの領域に分けられている。そして、それぞれの領域は、異なった濃度１〜５の部分が形成されている。濃度１から濃度５へと、形成される画像はしだいに濃くなる。
【００４０】
裏面画像２１１ｂでは（図３右側）、これらの部分に対応して、それぞれＣＹＭの各色の裏写りがそれぞれ異なる濃度で表れる。図３の場合、ＣＹＭの各領域の表面２１０ｆの濃度３〜５、濃度２〜５、濃度３〜５の部分でそれぞれ裏写りが生じており、表面２１０ｆでの濃度が濃い部分ほど、すなわち、濃度を表す値１〜５が大きいほど、裏写りの濃度も濃くなっている。
【００４１】
そして、図４に示すグラフは、シアン領域（Ｃ）について、テスト紙２１０Ｐの表側の面２１０ｆに形成されたテスト画像２１１ｆの濃度１〜５と（横軸）、裏面２１０ｂでそれらの濃度１〜５の各部分に表れる裏面画像２１１ｂの濃度と（縦軸）の関係を記したものである。
【００４２】
なお、この実施形態では、ＣＹＭの３色で印刷が行われるように説明を行うが、もちろんＣＹＭＫの４色で印刷を行ってもよいし、４色以上の色で印刷を行っても、モノクロームで印刷を行ってもよい。
【００４３】
図４の黒丸に示したデータ、すなわちテスト画像２１１ｆの濃度が過不足なく濃度１〜５のときの、裏面２１０ｂで表れる画像の濃度は、裏写り特性特定部２０３に取得されたテスト画像２１１ｆおよび裏面画像２１１ｂにより特定可能である。そして、このような濃度１〜５のときの裏面画像２１１ｂの濃度のデータに基づき、図４において実線で示している関数のように、それ以外の濃度のときの裏面２１０ｂの濃度が推定される。この推定においては、たとえば最小二乗法を用いることができる。
【００４４】
推定されるかかる関数において、裏写りが生じずにテスト紙２１０Ｐに印刷が可能な表面２１０ｆの最大の濃度が、前述した限界濃度ｄである。裏写り特性特定部２０３は、取得したテスト画像２１１ｆおよび裏面画像２１１ｂに基づいて、上述の関数を特定し、表面側の濃度（ｘ軸側で示す濃度）が濃くなるにつれて、はじめて裏写りの濃度（ｙ軸側で示す濃度）が０を離れる箇所を求め、そのときに表面側に形成される画像の濃度（ｘ軸側の濃度）を限界濃度ｄとする。裏写り特性特定部２０３は、このようにして、ＣＭＹの各色でそれぞれ限界濃度ｄを求める。なお、このような限界濃度ｄは、記録紙２１０Ｐの裏写りのし易さを表すことになる。
【００４５】
なお、実施形態においては、上述のような限界濃度ｄが裏写り特性であるものとするが、かかる場合に限定されることはなく、上述した関数の、前述した限界濃度ｄをｘ軸正方向に超える箇所（斜め線の箇所）の線の傾きも裏写り特性に含むものとして、複写機１を構成することも可能である。
【００４６】
特許請求の範囲記載の「対応関係」は、この実施形態において、かかる裏写り特性によって特定される濃度間の関係（表面の濃度が限界濃度ｄを超えると、裏面の濃度が０より大きくなる）に相当する。
【００４７】
次に、図２に戻って、記録紙データ記憶部３００は、裏写り特性記憶部３０１を有し、この裏写り特性記憶部３０１に、裏写り特性特定部２０３が求めた裏写り特性が記憶される。
【００４８】
図５は、裏写り特性記憶部３０１に構成されるデータのデータ構成を示す図である。
【００４９】
裏写り特性記憶部３０１は、「Ａ社の普通紙」、「Ａ社の光沢紙」、「Ｂ社の専用紙」のような、給紙カセット３１，３２にこれまでセットされてきた記録紙の種類を記憶する。かかる記録紙の種類は、各記録紙に付属された、所定のバーコードが表された用紙が複写機１へと原稿読取装置１０から入力されることで、裏写り特性記憶部３０１に記憶さるものとしてもよいし、ユーザが手動で操作パネル４０等を操作することにより、記憶されるものとしてもよい。
【００５０】
裏写り特性記憶部３０１（図２）は、このような記録紙の種類のデータに対応付けて、その種類の記録紙の前述した裏写り特性を記憶する。
【００５１】
裏写り特性記憶部３０１は、記録紙データ記憶部３００の一部として構成されており（図２参照）、記録紙データ記憶部３００には、裏写り特性記憶部３０１が記憶する記録紙の種類およびその種類の記録紙の裏写り特性のほかに、それらのうちいずれの種類の記録紙が現に今給紙カセット３１，３２に載置されているかが記憶されている。図示する最右列の欄の内容がその記憶内容に該当する。図５の場合、「Ａ社の普通紙」と「Ｃ社の普通紙」とがそれぞれ給紙カセット３１，３２に載置されていることが記憶されている。
【００５２】
裏写り特性記憶部３０１は、裏写り特性特定部２０３から裏写り特性を取得すると共に、テスト画像出力部２０１に対して、テスト画像２１１ｆを出力した記録紙を載置する給紙カセットを問い合わせる。裏写り特性記憶部３０１は、この問合せにより伝えられた給紙カセットに載置された記録紙の種類に対応付けて、取得された裏写り特性を記憶する。
【００５３】
次に、図２に戻って、原稿印刷制御部４００は、記録紙評価部４０１と、記録紙自動選択部４０３と、記録紙選択問合せ部４０２とを有する。
【００５４】
記録紙評価部４０１は、裏写り特性記憶部３０１に種類が記憶された各記録紙を評価する。
【００５５】
図６は、記録紙評価部４０１が行う記録紙の評価を説明する説明図である。図６においては、横方向に、記録紙に形成する画像の濃度（原稿画像に表れる画像の濃度）を示す横軸をとっている。そして、黒四角は、原稿画像に含まれる画像の最大濃度を示している。限界濃度ｄについては、図４を用いて説明したものである。
【００５６】
原稿画像の最大濃度が、記録紙の限界濃度ｄより大きい場合、記録紙に裏写りが生じるので（図４参照）、その記録紙に、最低の評価を行う（図中で示す「×評価を行う範囲」を参照）。
【００５７】
一方、原稿画像の最大濃度が限界濃度ｄより小さい場合、記録紙に裏写りは生じないが、原稿画像の最大濃度が限界濃度ｄを大きく下回ると、無意味に記録紙が厚手で高価になる恐れがあるので、限界濃度ｄは原稿画像の最大濃度になるべく近いほうがよい。そこで、記録紙評価部４０１は、原稿画像の最大濃度が限界濃度ｄより小さい限り、なるべく原稿画像の最大濃度が限界濃度ｄに近い濃度である記録紙ほど高く評価する。
【００５８】
図６では、記録紙の限界濃度ｄに対して、原稿の最大濃度がｄ〜（ｄ−ｔ）の範囲であれば最良の評価を行い、（ｄ−ｔ）〜（ｄ−２ｔ）の範囲であれば２番目、それ以下の範囲である場合は３番目というように、それぞれ評価を行う場合を示している。なお、前述のとおり、原稿画像の最大濃度が限界濃度ｄより大きい場合は、最も低い評価、すなわち４番目の評価が行われる。
【００５９】
このようにして、本実施形態の記録紙評価部４０１は、各記録紙を４段階に評価する。
【００６０】
図２に戻って、記録紙問合せ部４０２は、液晶タッチパネル４１（図１参照）にユーザインタフェースを作成して、ユーザと対話することにより、取得された原稿画像を形成すべき記録紙を特定する。
【００６１】
図７は、ユーザに記録紙を選択させるユーザインタフェース４０２ｉを示す図である。記録紙問合せ部４０２は、このようなユーザインタフェース４０２ｉを液晶タッチパネル４１に表示させて、ユーザと対話する。
【００６２】
このユーザインタフェース４０２ｉでは、裏写り特性記憶部３０１に記憶された各種類の記録紙での裏写りの安全性評価が、４つの記号「◎」、「○」、「△」、「×」によって示される。これは、前述した、記録紙評価部４０１が行った評価の結果を示したものである（図６参照）。ただし、裏写り特性記憶部３０１に記憶された記録紙の各種類のうち、即座に画像形成に利用できるのは、現に今給紙カセット３１または給紙カセット３２に載置されている記録紙Ｒ１，Ｒ２のみであるため、それらの記録紙に対応する表示行３１ｂ，３２ｂだけがイネーブル状態となっており、表示行３１ｂ，３２ｂだけは、タッチすることによって、その表示された記録紙を、原稿画像を形成させる記録紙に選択できるようになっている。
【００６３】
記録紙問合せ部４０２は、評価表示部４０２ａと、ユーザ入力部４０２ｂとを有する。評価表示部４０２ａは、上述したユーザインタフェース４０２ｉを表示する。ユーザ入力部４０２ｂは、ユーザインタフェース４０２ｉによって、ユーザが決定ボタン４０２ｓをタッチして確定させた、記録紙の選択結果を取得する。
【００６４】
なお、図示するユーザインタフェース４０２ｉでは、給紙カセット３１，３２のいずれに載置された記録紙よりも、かつて給紙カセット３１または給紙カセット３１に載置されていた、「Ｂ社の専用紙」の方が評価値が高いことが示されている。このようなときに、ユーザは、給紙カセット３１または給紙カセット３２に載置された記録紙を入れ替えてＢ社の専用紙として、Ｂ社の専用紙に印刷を行うことができる。このときには、入れ替え後に表示されるインタフェース４０２ｉでは、表示行３１ｂまたは表示行３２ｂに「Ｂ社の専用紙」と表示され、これをタッチすることでユーザは、Ｂ社の専用紙に原稿画像を印刷させることができる。
【００６５】
ユーザインタフェース４０２ｉでは、給紙カセット３１，３２のいずれの記録紙でも完全に裏写りを回避できない場合には、裏写りを回避できる種類の記録紙にいずれかの記録紙を入れ替えるようにユーザに提案してもよい。なお、このとき、入れ替えまでは提案せずに、比較的裏写りの程度が酷くない、相対的に裏写りし難い（限界濃度が相対的に大きい）記録紙が特定されて、それの使用が提案されるようにしてもよい。このときには記録紙問合せ部４０２は、評価表示部４０２ａから、単なる評価結果だけではなく、限界濃度の値そのものを取得する。
【００６６】
図２に戻って、記録紙自動選択部４０３は、上述した記録紙選択問合せ部４０２が起動されるのを抑制し、記録紙選択問合せ４０２に代わって、自ら、原稿画像を形成する記録紙を決定する機能を有する（図６参照）。記録紙自動選択部４０３は所定のフラグを有し、操作パネル４０（図１）からユーザによってこのフラグに所定の値がセットされると、上述した抑制を行って、自らが記録紙の選択を行う。記録紙自動選択部４０３は、記録紙評価部４０１が行った評価結果において、評価値が最良の記録紙を必ず選択する。給紙カセット３１，３２の記録紙の間で、評価値が同じである場合には、いずれを選んでもよい。
【００６７】
図８は、複写機１の処理の流れを示す図である。この処理が行われると、新しい記録紙の裏写り特性が裏写り特性把握部２００に把握されて、把握された裏写り特性に基づいて当該記録紙への印刷が、原稿印刷制御部４００によって行われる。
【００６８】
ステップＳａ１では、液晶タッチパネル４１（図１）によってユーザが、図８の処理を開始させる。このときには、裏写り特性記憶部３０１に裏写り特性が記憶されていない、新しい種類の記録紙が、すでに、給紙カセット３１，３２のいずれかにセットされているものとする。ユーザは、新しい記録紙をセットした給紙カセットを指定して、この、図８の処理を開始させる。
【００６９】
ステップＳａ２では、指定された給紙カセットの記録紙（裏写りテスト紙２１０Ｐ）に対して、テスト画像２１１ｆが形成される（図２，３参照）。
【００７０】
ステップＳａ３では、テスト画像２１１ｆが形成された裏写りテスト紙２１０Ｐの裏面画像２１１ｂが裏写り特性特定部２０３へと入力される（図２，３参照）。
【００７１】
ステップＳａ４では、裏面画像２１１ｂをテスト紙２１０Ｐに生じさせたテスト画像２１１ｆが、テスト画像出力部２０１から特性特定部２０３に取得される（図２参照）。
【００７２】
ステップＳａ５では、特性特定部２０３が、入力された裏面画像２１１ｂおよびテスト画像２１１ｆに基づいて裏写り特性を特定する（図２〜４参照）。
【００７３】
ステップＳａ６では、特定された裏写り特性が、その裏写り特性の記録紙の種類と対応付けて、裏写り特性記憶部３０１に記憶される（図２，５参照）。
【００７４】
ステップＳａ７では、原稿画像が原稿印刷制御部４００に取得される（図２参照）。
【００７５】
ステップＳａ８では、裏写り特性記憶部３０１から記録紙評価部４０１に裏写り特性が読み出される（図２参照）。
【００７６】
ステップＳａ９では、読み出された裏写り特性に基づいて、記録紙評価部４０１が、記録紙を評価する（図６参照）。
【００７７】
ステップＳａ１０では、記録紙自動選択部４０３が、所定の値が自己のフラグにセットされているか否かを検知する。
【００７８】
セットされていない場合には（ステップＳａ１０：ＮＯ）、記録紙選択問合せ部４０２の起動が抑制されないので、記録紙選択問合せ部４０２によって、ステップＳｂ１，Ｓｂ２の処理が行われる。ステップＳｂ１では、記録紙評価部４０１が行った評価の結果に基づいて、その評価結果の情報をユーザに示すユーザインタフェース４０２ｉが表示される（図７参照）。そして、ステップＳｂ２で、ユーザインタフェース４０２ｉによりユーザに選択された記録紙の情報がユーザ入力部４０２ｂに取得される。
【００７９】
他方、セットされている場合は（ステップＳａ１０：ＹＥＳ）、ステップＳｃ１において、記録紙自動選択部４０３が画像形成を行う記録紙を選択する。
【００８０】
ステップＳａ１１では、原稿印刷制御部４００が、記録紙自動選択部４０３または記録紙自動選択部４０３に選択された記録紙へと原稿画像を印刷させる（図２参照）。
【００８１】
このように、複写機１は、原稿Ｐの画像を読み取って、読み取った原稿画像を記録紙Ｒ１，Ｒ２に形成する画像形成装置である。
【００８２】
複写機１においては、記録紙（記録紙Ｒ１，Ｒ２）にテスト画像２１１ｆが形成され、テスト画像２１１ｆが記録紙の裏面２１０ｂに裏写りして表れた裏面画像２１１ｂが読み取られ、テスト画像２１１ｆと裏面画像２１１ｂとの対応する箇所の濃度に基づき、記録紙に形成する画像の濃度と当該濃度の画像が記録紙の裏面に生じさせる裏写りの濃度とが対応付けられる。そして、原稿画像に表れた濃度と、裏写り特性特定部２０３が付けた対応関係（裏写り特性によって特定される濃度間の関係）とに基づき、原稿画像を形成する記録紙が決定される。
【００８３】
したがって、様々な種類の記録紙を利用しても、記録紙にテスト画像２１１ｆが形成されて、テスト画像２１１ｆが当該記録紙の裏面２１０ｂに裏写りして表れた裏面画像２１１ｂが読み取られ、テスト画像２１１ｆと裏面画像２１１ｂとの対応する箇所の濃度に基づき、記録紙に形成する画像の濃度と当該濃度の画像が記録紙の裏面に生じさせる裏写りの濃度とが対応付けられる（裏写り特性が特定される）。そして、原稿画像に表れた濃度と、裏写り特性特定部２０３が付けた対応関係（裏写り特性によって特定される濃度間の関係）とに基づき、原稿画像を形成する記録紙が決定されて、精度よく裏写りが回避される。この結果、様々な種類の記録紙を利用しても、確実に裏写りを回避することができる。
【００８４】
なお、裏写り特性特定部２０３は、記録紙に形成する画像の濃度のうち、限界濃度ｄより濃い濃度を、当該濃度の画像が記録紙の裏面に生じさせる裏写りの、一定範囲の濃度（０より大きい濃度）に対応付けている。
【００８５】
また、記録紙に形成する画像の濃度と当該濃度の画像が記録紙の裏面に生じさせる裏写りの有無とが、対応付けられる。
【００８６】
したがって、原稿画像に表れた濃度と、裏写り特性特定部２０３が付けた対応関係（裏写り特性によって特定される濃度間の関係）とに基づき、記録紙で裏写りが生じ無い場合に、その記録紙を原稿画像を形成する記録紙に決定することができる。
【００８７】
また、記録紙の種類と、当該種類の記録紙に表れた裏面画像２１１ｂの濃度に基づいて裏写り特性特定部２０３が付けた対応関係（裏写り特性によって特定される濃度間の関係）とが、対応付けて複数組記憶される。そして、原稿画像に表れた濃度と記憶された各対応関係とに基づいて、各対応関係に対応付けて記憶された記録紙の各種類のうち最も原稿の画像を形成するのに適すると判断される１の種類が選択され、当該種類の記録紙が原稿の画像を形成する記録紙に決定される。
【００８８】
したがって、自動的に、原稿画像を形成するのに最も適する記録紙を選択させることができる。
【００８９】
また、記録紙の種類と、当該種類の記録紙に表れた裏面画像２１１ｂの濃度に基づいて裏写り特性特定部２０３が付けた対応関係（裏写り特性によって特定される濃度間の関係）とが、対応付けて複数組記憶される。そして、原稿画像に表れた濃度と記憶された各対応関係とに基づき、各対応関係に対応付けて記憶された各種類の記録紙が原稿画像を形成するのに適するか否かが評価されて、評価結果がユーザに提示されると共に、当該提示に応じたユーザのユーザ入力が取得されて、各種類の記録紙のうち原稿画像を形成する記録紙の種類が当該ユーザ入力に基づいて選択される。
【００９０】
したがって、ユーザは、様々な種類の記録紙を利用する場合でも、提示された評価結果に応じてユーザ入力を入力して、記録紙を選択することで、確実に裏写りを回避することができる。
【００９１】
なお、画像形成機構２０が出力した裏写りテスト紙２１０Ｐ（図２参照）を、原稿読取装置１０へと搬送する搬送路を設けて、ユーザの手を煩わせることなく、裏写りテスト紙２１０Ｐが原稿読取装置１０にセットされるものとしてもよい。
【００９２】
また、画像形成機構２０にも、別にスキャナを設けて、出力される裏写りテスト紙２１０Ｐの裏面画像２１１ｂが、テスト紙２１０Ｐの出力と同時に読み取られるものとしてもよい。
【００９３】
裏写りテスト紙２１０Ｐに形成されたテスト画像２１１ｆが原稿読取装置１０に読み取られて、裏写り特性特定部２０３による裏写り特性の特定に用いられてもよい。このようにすれば、精度よく裏写り特性を特定することができる。
【００９４】
テスト画像出力部２０１（図２）は、原稿印刷制御部４００を用いてテスト画像２１１ｆを記録紙に印刷させてもよい。
【００９５】
記録紙自動選択部４０３は、所定のフラグにセットされた値に応じて自ら記録紙の選択を行うか否かを決めていたが、原稿画像がモノクロで印刷される場合など万が一裏写りが生じても比較的ユーザに許容される場合に自ら記録紙の選択を行うものとしてもよい。
【図面の簡単な説明】
【００９６】
【図１】複写機１を示す説明図である。
【図２】複写機１のブロック図である。
【図３】テスト画像２１１ｆが印刷された記録紙２１０Ｐを示す図である。
【図４】裏写り特性を示す図である。
【図５】裏写り特性記憶部３０１に構成されるデータのデータ構成を示す図である。
【図６】記録紙評価部４０１が行う記録紙の評価を説明する説明図である。
【図７】ユーザに記録紙を選択させるユーザインタフェース４０２ｉを示す図である。
【図８】複写機１の処理の流れを示す図である。
【符号の説明】
【００９７】
１  複写機
１０  原稿読取装置
２０  画像形成機構
３０  給紙機構
３１，３２  給紙カセット
Ｒ１，Ｒ２  記録紙
４０  操作パネル
４１  液晶タッチパネル
１００  印刷制御装置
２００  裏写り特性把握部
２０１  テスト画像出力部
２０２  裏面画像取得部
２０３  裏写り特性特定部
３００  記録紙データ記憶部
３０１  裏写り特性記憶部
４００  原稿印刷制御部
４０１  記録紙評価部
４０２  記録紙選択問合わせ部
４０２ａ  評価表示部
４０２ｂ  ユーザ入力部
４０３  記録紙自動選択部
２１０Ｐ  裏写りテスト紙
２１１ｆ  テスト画像
２１１ｂ  裏面画像
２１０ｆ  裏写りテスト紙２１０Ｐの表面
２１０ｂ  裏写りテスト紙２１０Ｐの裏面
４０２ｉ  ユーザに記録紙を選択させるユーザインタフェース
４０２ｓ  決定ボタン
３１ｂ，３２ｂ  複写機１に積載された記録紙Ｒ１，Ｒ２の表示行
【図１】
2007188014.tif 000003
【図２】
2007188014.tif 000004
【図３】
2007188014.tif 000005
【図４】
2007188014.tif 000006
【図５】
2007188014.tif 000007
【図６】
2007188014.tif 000008
【図７】
2007188014.tif 000009
【図８】
2007188014.tif 000010